Podtech/llm-jp-corpus-v4-ja_patent huggingface dataset:
(57)【要約】【課題】カップ麺類やカップスープ類を食べる時、柔らかい麺類が底に溜まったり、最後までだし類・具材類等が底に溜まったりすること無く、食べ始めから食べ終わりまで偏りの無い、均等な硬さの麺類や均等なだし類・具材類等を味わうことを提供する。【解決手段】カップ麺類用（カップに入っているラーメン、うどん、パスタ等の麺類用）は側面部（１）と底面部（２）、（２）から伸びた引っ張り部分（３）と（３）の持ち手部分（４）を設ける。  カップスープ類用（カップに入っているスープ、ポタージュ、味噌汁等の飲食物用）は側面部（５）と底面部（２）、（２）から伸びた引っ張り部分（３）、（３）の持ち手部分（４）を設ける。又、容器の中身により側面部（１）（５）や底面部（２）に直径１ミリから１０ミリの穴を設ける。【選択図】  図１
2006087321.tif 000002
【特許請求の範囲】
【請求項１】
側面部（１）と底面部（２）からなり、底面部（２）から伸びた引っ張り部分（３）と引っ張り部分（３）の持ち手部分（４）を有する、手を汚すことなく引っ張り上げることにより容器内の底にある麺類・だし類・具材類等をまぜることを特徴とする装置。
【請求項２】
側面部（５）と底面部（２）からなり、底面部（２）の中心から伸びた引っ張り部分（３）と引っ張り部分（３）の持ち手部分（４）を有する、手を汚すことなく引っ張り上げることにより底面部（２）にたまっているだし類・具材類等をまぜやすくすることを特徴とする装置。
【請求項３】
側面部（１）（５）や底面部（２）に直径１ミリから１０ミリの穴を有する請求項１、２記載の容器内の底にある麺類・だし類・具材類等をまぜる装置。
【発明の詳細な説明】
【技術分野】
【０００１】
本発明は、カップ麺類やカップスープ類等を食べる時、容器の底に溜まった麺類・だし類・具材類等をまぜる装置に関するものである。
【背景技術】
【０００２】
従来、まぜ易いスプーンがあった。
【発明の開示】
【発明が解決しようとする課題】
【０００３】
解決しようとする問題点は、カップ麺類・カップスープ類を食べる時にお箸やスプ‐ン等でまぜるだけでは、容器内の麺類の硬さやだし類・具材類等のまざり具合にムラがあり、底にだし類・具材類等が残ることである。また、しっかりまぜようとすれば内容物がこぼれてしまうことである。
本発明は、以上の問題点を解決し、容器内の底に溜まった麺類やだし類・具材類等をまぜることが
できるようになされたものである。
【課題を解決するための手段】
【０００４】
カップ麺類用（カップに入っているラーメン、うどん、パスタ等の麺類用）は側面部（１）と底面部（２）、（２）から伸びた引っ張り部分（３）と（３）の持ち手部分（４）を設ける。
カップスープ類用（カップに入っているスープ、ポタージュ、味噌汁等の飲食物用）は側面部（５）と底面部（２）、（２）から伸びた引っ張り部分（３）、（３）の持ち手部分（４）を設ける。又、容器の中身により側面部（１）（５）や底面部（２）に直径１ミリから１０ミリの穴を設ける。
本発明は、以上の構成によりなるカップ麺類やカップスープ類等を食べる時、容器の底に溜まった麺類・だし類・具材類等をまぜる装置である。
【発明の効果】
【０００５】
本発明を使用することにより、容器の底に溜まった麺類・だし類・具材類等がよくまざり、食べ始めから食べ終わりまで殆ど偏りの無い、均等な硬さの麺類や均等なだし類・具材類等を味わうことができる。
【発明を実施するための最良の形態】
【０００６】
以下、本発明の実施の形態について説明する。
（イ）麺類用の形態は、側面部（１）、底面部（２）、（２）から伸びた紐状等の引っ張り部分（３）、（３）の持ち手部分（４）を設ける。
（ロ）スープ類用の形態は、側面部（５）、底面部（２）、（２）から伸びた紐状等の引っ張り部分（３）、（３）の持ち手部分（４）を設ける。
本発明は以上の構成よりなる。
この発明を装備したカップ麺類等を食べる時は、通常通りカップ等容器の蓋を開けて湯を注ぎ、蓋
をして麺類が食べ時になるまで待ち、食べる時に蓋を開け、（４）をゆっくり引っ張り上げる。そうすることにより、本来普通にかきまぜても最後に食べることになる底に沈んでいた柔らかめの麺類や最後まで溜まっていただし類・具材等が、上の方にきて全体が良くまざり均等の味・食感が楽しめる。また、引っ張り上げた、本発明品をごみとして破棄してもよいが、底面部（２）がある程度見えるくらいまで持ち手部分（４）を引っ張り、本発明品を取り出さずにカップ麺類の容器の中に本発明品を入れたまま麺類等やスープ類等を食してもよい。カップスープ類等の場合、湯を入れ、食べる時蓋を開け、（４）を引っ張りスープ類の表面くらいまで（２）を持っていき、お箸等で溶けずに固まっているだし類・具材等をまぜ、（２）を底に沈め、食する。
以上によりカップ麺類と同様によくまざり均等で美味しく食べることができる。
【図面の簡単な説明】
【０００７】
【図１】発明品（カップ麺類用）の斜視図
【図２】発明品（カップ麺類用）の側面図
【図３】発明品（スープ類用）の斜視図
【符号の説明】
【０００８】
１  側面部（カップ麺類用）
２  底面図
３  引っ張り部分
４  持ち手部分
５  側面部（スープ類用）
【図１】
2006087321.tif 000003
【図２】
2006087321.tif 000004
【図３】
2006087321.tif 000005
(57)【要約】【課題】  廃棄物の肥料成分に吸着保水性材を介して消臭・防カビ等の作用を持つ化学物質を混合し吸蔵させた培養土を提供すること。【解決手段】  醗酵乾燥汚泥（Ａ）と、天然植物精油成分（Ｂ）と、粒状軽石（Ｃ）とから成り、前記（Ａ）と（Ｃ）及び（Ｃ）と（Ｂ）の各混合比が所要の混合比である。  前記各要素の混合比については、醗酵乾燥汚泥（Ａ）と粒状軽石（Ｃ）との容積混合比が１：１で、粒状軽石（Ｃ）と天然植物精油成分（Ｂ）との混合が、粒状軽石（Ｃ）1kgに対してドクダミエキス50gの混合比で混合される。【選択図】  なし【特許請求の範囲】
【請求項１】
廃棄物の肥料成分と、消臭・防カビ等の作用を持つ化学物質と、吸着保水性材とから成り、前記各要素が所要の混合比で混合収蔵されて成る培養土。
【請求項２】
前記各要素において、廃棄物の肥料成分が醗酵乾燥汚泥（Ａ）であり、化学物質が天然植物精油成分（Ｂ）であり、吸着保水性材が粒状軽石（Ｃ）から成り、前記（Ａ）と（Ｃ）の容積混合比が１：１であり、（Ｃ）と（Ｂ）の混合が、粒状軽石（Ｃ）1kgに対してドクダミエキス50gの混合比で混合されて成る請求項１記載の培養土。
【発明の詳細な説明】
【技術分野】
【０００１】
本発明は、廃棄物による培養土の分野に属する。
【背景技術】
【０００２】
従来から提供されている動物性残渣による有機肥料は悪臭がありその対策が不完全であった。一方、都市マンション生活上では、植木や草花の栽培が居住空間に隣接するベランダ上となるため鉢などのプランター栽培に限定され、その際の肥料や水やりに伴って前記悪臭や土や肥料成分のプランター受皿への流出等の問題が発生している。
これに関連してシックハウス症候群の一要因たるホルムアルデヒドなどの特定物質を、軽石と天然植物成分の複合化したものにより科学的に無害化しようとする発明が特開２００３−３２５６４９号公報で開示されている。
【特許文献１】特開２００３−３２５６４９号公報
【発明の開示】
【発明が解決しようとする課題】
【０００３】
本発明は、天然植物精油成分の脱臭作用に着目し、廃棄物の肥料化の過程で、上記精油成分を吸着保水性材を介して上記肥料成分に反応させて脱臭させ、植木や草花などのプランター栽培で施肥不要、悪臭のない状態での水やりに伴う土や肥料成分のプランター受皿への流出を解消できるとともに、部屋の消臭やプランター内でのカビ発生を防止抑制できる培養土を提供しようとする。
【課題を解決するための手段】
【０００４】
請求項１に記載した培養土は、廃棄物の肥料成分と、消臭・防カビ等の作用を持つ化学物質と、吸着保水性材とから成り、前記各要素が所要の混合比で混合収蔵されて成る。
請求項２に記載した培養土は、請求項１に記載した培養土において、廃棄物の肥料成分が醗酵乾燥汚泥（Ａ）であり、化学物質が天然植物精油成分（Ｂ）であり、吸着保水性材が粒状軽石（Ｃ）から成り、前記（Ａ）と（Ｃ）の容積混合比が１：１であり、（Ｃ）と（Ｂ）の混合が粒状軽石（Ｃ）1kgに対してドクダミエキス50gの混合比で混合されて成る。
【発明の効果】
【０００５】
本発明によれば、有機汚泥や動植物性残渣、廃木質材（木屑等）等の廃棄物が悪臭のない培養土として再生されるから、廃棄物の減量と再資源化の社会システムの構築に貢献し、再生された培養土は植木や草花などのプランター栽培では施肥不要となるばかりでなく、水やりにおいては粒状軽石の保水性により肥料成分や土の流出が防止され、その上、ドクダミなどの植物精油成分中のアルデヒド基を有するラウリンアルデヒド等の消臭効果によって部屋の空気が消臭される。
このほか、ドクダミの精油成分の中には抗菌性、抗カビ、防虫性を有することから、従来のプランター栽培に見られるようなカビ発生が防止抑制される効果がある。
【発明を実施するための最良の形態】
【０００６】
醗酵乾燥汚泥（Ａ）は、有機汚泥や動植物性残渣、粉砕された廃木質材(木屑等)等に醗酵菌を添加して醗酵させ、ケーキ状態で高温完熟醗酵させ、乾燥によって水分が除去されたものであり、醗酵乾燥汚泥（Ａ）と、粒状軽石（Ｃ）の容積混合比が１：１であり、また、粒状軽石（Ｃ）と天然植物精油成分（Ｂ）との混合が粒状軽石（Ｃ）1kgに対してドクダミエキス50gの混合比で混合される。
なお、粒状軽石（Ｃ）の粒径は３メッシュから６メッシュの網目を通過するものが良しとされる。
【実施例】
【０００７】
本発明の培養土の製造過程を一実施例で説明すると、肥料成分となる醗酵乾燥汚泥（Ａ）は、廃木質材が粉砕され、所要のシックナーに収納されて醗酵菌が添加され、醗酵過程を経て濃縮され、汚泥ケーキとして取り出されたものを高温完熟醗酵させ、乾燥されて水分が除去されたものである。吸着保水性材としての粒状軽石（Ｃ）は破砕されてその粒径が３メッシュから６メッシュの網目を通過できるものが準備される。消臭・防カビ等の作用を持つ化学物質としての天然植物精油成分（Ｂ）は、天然植物であるドクダミの未乾燥全葉所要量をアルコール度95％のエタノールに冷浸し、アルコール抽出溶液を減圧下で濃縮してドクダミエキスを所要量緒抽出する。
そして、醗酵乾燥汚泥（Ａ）と、粒状軽石（Ｃ）とを容積混合比１：１の比率で混合する。予め、粒状軽石（Ｃ）には同軽石1kgに対してドクダミエキス50gの割合でドクダミエキスが混合されて培養土が製造される。
この培養土の組成中のドクダミエキスは、数多くの生理活性と脱臭作用をもつクロロフィルと、効果的に抽出されたドクダミの精油成分と、植物由来の甘い香りとをもっている。
その脱臭機構は、ドクダミの精油成分にはアルデヒド基を有するラウリンアルデヒド、decanoylacetaldehyde等が知られており、これが醗酵乾燥汚泥（Ａ）に含まれる悪臭分解アミンとアルデヒドとが化学反応して共に無臭化物となり消臭効果を呈する。これに加えてドクダミに含まれる前記成分及びクロロフィルの抗菌性、抗カビ、防虫性により、プランター内の培養土のカビ発生が防止抑制される。
【０００８】
このようにして製造された培養土は、鉢などのプランター内での植木や草花の栽培に使用され、悪臭のないことから都市マンション生活の居住空間に隣接するベランダ上で植木や草花を快適に鑑賞でき、部屋の空気も消臭されてシックハウス症候群の予防になり、植物精油成分の甘い香りによってアロマセラピー効果も期待できる。
【産業上の利用可能性】
【０００９】
本発明の培養土は、各種の廃棄物が肥料化されて再生されたものであるため、ごみ堆積場やCO2排出などの環境問題が是正されることや、土壌改良材や法面緑化基盤材として廉価で市場に提供できることから、廃棄物処理業界及びバイオ産業界や花卉園芸業界で利用される。
(57)【要約】      （修正有）【課題】スポーツをする折りに着用する靴の上方から入る砂，塵埃（以下砂等という）を防ぐ為の備品を提供する。【解決手段】靴の上方のふくらはぎから靴の編み上げ部分の少し先迄を布等で作られた覆い（以下カバーという）を足首と靴の部分で固定し，砂等の浸入を防止する。【選択図】  図１
2006055601.tif 000002
【特許請求の範囲】
【請求項１】
靴の編み上げ部分，かかと及びふくらはぎ迄を覆うカバーをスポーツ靴に取付けて使用する砂等の混入を防ぐ防塵カバー
【発明の詳細な説明】
【発明の詳細な説明】
【産業上の利用分野】
【０００１】本発明はスポーツ（特にテニス）をする折りに履く靴の上方から入る砂等を防止する為のカバーに関するもので，特に砂入り人工芝コート（オムニコート）で有用に利用できる。
【背景技術】
【０００２】従来，雨の日に靴が濡れるのを防ぐ為に，ビニール製のカバーは市販されていたが，激しいスポーツで使用するとカバーの役目を果たさない。靴の編み上げ部分の内側は砂等を受ける様になっており，砂等が直に進入しない様にはなっているが，時間と共に多量に入ってくる。スポーツ時に靴の上方から入ってくる砂等を防ぐ機能のある製品は販売されていない。
【発明が解決しようとする課題】
【０００３】最近，テニスコートはハードコートが少なくなり，オムニコートが増加している。オムニコートは人工芝に砂が入れてあり，イレギュラーが少なく，全天候型に近く使い易い。しかし，コート面にはカビ等，雑菌類が繁殖し易い。運動の最中には足運びと共にカビ等を含んだ砂が下肢や靴上部に飛散し，付着しつつ，靴の上方から靴の中に進入する。これによって，靴の中に砂が溜まり，違和感を覚える。更に靴の中は勿論，靴下が異常に汚れ，雑菌の影響か，洗濯しても汚れは落とし難い。
【課題を解決する為の手段】
【０００４】テニス競技の場合，砂等が舞い上がらないハードコートは別として，他のコートはそれなりに砂等が舞い上がり競技中に靴の中に浸入する。これを解決する為に足首にフィットし，靴のかかとから足先迄を覆うカバーを提供するものである。型はワッパ状の一体ものでも良いが，出来れば少なくとも一箇所で開く型とし，靴の周りに巻付けて固定すれば良い。靴とカバーの固定方法にはこだわるものではないが，所謂，マジックテープは縫い付け，接着等が出来，準備し易いし，使い易い。
その他，紐，引っ掛け等，様々な方法が使えるが，それぞれを組合せても機能的で美観に優れた物が出来る。更にふくらはぎ（足首）とカバーの固定も同様な方法が採れるが，靴下の折り返しを利用しても合理的である。
固定する数はカバーがずれる事がなく，靴とカバーの間から砂等が入り難い様にフィットすれば数にこだわる必要は無い。
カバーの材質は特にこだわるものではなく，雨天用は防水機能のあるものがよいが，通常は通気性の良いものが好ましい。又，色も好みによって色々の組合せが選べる。更にカバーには部分的にでも伸縮機能があれば，色々な，面で自由度があって，着用感が良い。
【実施例】
【０００５】テニスシューズを履いた後，足首，かかと下約２ｃｍから足首迄，かかとから靴の先の手前約３ｃｍ位迄をかがり代をみて採寸する。この時，かかと部分からアキレス腱に沿って，開閉して着脱するための固着代を見込んで採寸する。これによりポリエステル６５％，綿３５％の布を裁断する。
このカバーの先端付近にマジックテープの一方を縫い付ける。一方，靴の先端部から約４ｃｍの位置にもう一方のマジックテープを接着剤で張り付ける。
他方，靴のかかと下から約３ｃｍの位置に一方のマジックテープを接着する。更に，この位置に相当するカバーに他方のマジックテープを縫い付ける。
又，アキレス腱部分にも自分の足首の太さに合わせて，それぞれマジックテープを取り付ける。
【発明の効果】
【０００６】この様にして出来上がったカバーを着用してオムニコートでテニスを２時間実施した後，靴中の砂等の量を測定結果，極く少量しか認められず，カバーのない場合に比べ２０％以下であった。又，従来に比べ靴下の汚れも極めて少なく，使用感は満足すべきものであった。
【図面の簡単な説明】
【図１】本発明の一実施例を示す説明図。
【符号の説明】
１，足首  ２，カバー  ３，マジックテープ  ４，靴  ５，靴紐
【図１】
2006055601.tif 000003
(57)【要約】【目的】ボール又はグリップの外周面にアール状又は変形状にウエイトを取り付けることでその遠心力で全身の回転運動を促進し、必要とする筋力を強化しながら、フォームの軌道を容易に習得するための器具を提供するものである。【構成】ボール又はグリップの外周面にアール状又は変形状にウエイトを取り付けることを特徴とするピッチング練習機。【特許請求の範囲】
【請求項１】
ボール又はグリップの外周面にアール状又は変形状にウエイトを取り付けたピッチング練習機。
【発明の詳細な説明】
【発明の詳細な説明】
【産業上の利用分野】
【０００１】  この発明は、ボール又はグリップの外周面にアール状又は変形状にウエイトを取り付けて、足、腰、肩、腕、手首等の回転運動を促進し、強化しながら、フォームの軌道を習得するためのピッチング練習機に関するものである。
【背景技術】
【０００２】  従来、ピッチャーがピッチングフォームを習得するための方法としてタオルを用いた方法や棒状の器具を使用した方法がある。
【発明が解決しようとする課題】
【０００３】  しかし、この方法では投球動作をした時に自分の力だけで行なうために、大きく力強いフォームを習得するために大変な努力を必要とした。また、軽いものを思いっきり振るために肩や肘の筋をのばしてしまうという危険性もあった。棒状の器具の場合は、スイングすると腕が真っ直ぐ棒状にのびやすく、手首をかえすより先に肘等がのびた状態になりやすいという欠点があった。
【課題を解決するための手段】
【０００４】  本発明は、ボール又はグリップの外周にアール状又は変形状にウエイトをを取り付けて、ボールの外周に遠心力をかける構造とした。
【作用】
【０００５】  この構造により、バックスイングをすると後方下部にウエイトがかかり、自然に大きなバックスイングとなり、軸足に体重がのって腰から始動するようになる。腕を前方にスイングすると、ウエイトは大きく前方にかかるために体重がのった大きな力強いフォームの軌道が容易に体得できる。また、ゆっくりとフォームの軌道を確認しながらストレッチを行なうことで必要な部分に充分なウエイトがかかるために投球動作に必要な筋力を強化するることができる。また、ボールの外周にアール状又は変形状に遠心力が加わるために、肩、腕、手首等の回転運動を自然にスムーズに行うことができ、肩や肘等の筋をのばす危険性もない。
【実施例】
【０００６】１．近距離や変化球の投球動作の場合には、ウエイトが前方になるように使用すると、前方に大きくウエイトがかかるために、体重をのせた手首（スナップ）をグッと効かせたフォームづくりのトレーニングができる。
２．遠投やストレートの投球動作の場合には、ウエイトが後方になるように（逆アール）使用するとバックスイング時に後方下に大きくウエイトがかかるため体重が軸足にのって腰から始動しやすくなり、振り幅を大きく肩を使った大きなフォームづくりのトレーニングができる。
３．投球動作をすると、ウエイトは後方下から上、上から前方下に円弧状に回転移動する。この一連の動作の中で重力の変化がより大きくおこるため、腕を振り下ろす寸前に（上から下へと下がる寸前）に一番力がかかる状態になり、自然に指先にグッと力をはいるので、リリースポイントの位置を正確に習得することができる。
４．野球のピッチング練習用だけでなく、回転動作をするすべてのストレッチ、トレーニングで通常のダンベルの数倍の効果を発揮し、肩、腕、手首強化は、もちろん、足、腰、腹筋、背筋など全身の筋力を効率よく強化できる。
【発明の効果】
【０００７】  自分の力だけで行なっていた投球動作が遠心力と重力の大きな変化により促進、強化されるため、ピッチングの軌道を短期間で習得することができる。また、必要な部分に充分にウエイトがかかるために、投球動作に必要な体づくりが容易にでき、この構造により肩、肘等の筋をのばすなどの危険性もなくスムーズに回転運動ができる。
【図面の簡単な説明】
【図１】本発明の斜面図
【符号の説明】
１．ボール又はグリップ  ２．アール状又は変形状体  ３．ウエイト
【図１】
2006055604.tif 000002
(57)【要約】【課題】  本発明は、雨天時に車周辺の濡れない場所を確保するための傘ホルダーである。傘を手で持たなくてもよいため、子供をチャイルドシートに乗せるなどの作業を、濡れないですることができ、車に傷をつけず、簡単に取り付け外しできる傘ホルダーを提供する。【解決手段】  強力フック（１）をキカイバンド（２）で、傘（５）の柄の部分に取り付ける。強力吸盤（３）にロープ（４）を結び、傘（５）に取り付ける。【選択図】  図１
2006055608.tif 000002
【特許請求の範囲】
【請求項１】
強力フック（１）をキカイバンド（２）で、傘（５）に固定し、強力吸盤（３）にロープ（４）を結び、傘（５）に取り付けた、車に傷がつかず、取り付け取り外しが簡単な傘ホルダー。
【発明の詳細な説明】
【発明の詳細な説明】
【技術分野】
【０００１】  この発明は、傘に吸盤を付けたものであって、主に車の表面や内部に傷をつけることなく簡単に取り付け、取り外しでき、雨天時の雨よけなどに利用できる傘ホルダーに関するものである。
【発明が解決しようとする課題】
【０００２】  雨天時に小さな子供を連れ、車内部のチャイルド（ベビー）シートへ子供を乗り降りさせようとするとき、保護者は濡れながら慌ただしくその作業していた。
本発明は、以上の問題を解決し、傘ホルダーによって、車周辺の濡れない場所を確保し、かつ、車に傷をつけることなく簡単に、取り付け取り外しができるようになされたものである。
【課題を解決するための手段】
【０００３】  強力フック（１）をキカイバンド（２）で、傘（５）の柄の部分に取り付ける。強力吸盤（３）にロープ（４）を結び、傘（５）に取り付ける。
本発明は、以上の構成よりなる車を傷つけず、車周辺の濡れない場所を確保でき、簡単に付けはずしできる傘ホルダーである。
【発明を実施するための最良の形態】
【０００４】  以下、本発明の実施の形態を説明する。
（イ）強力フック（１）の吸盤部分を、傘（５）の柄の先端部分と同じ高さになるようにし、キカイバンド（２）で傘（５）の柄の部分に固定する。
（ロ）強力吸盤（３）の穴にロープ（４）を通し結び、傘（５）の柄の終わりの部分に取り付ける。
本発明は以上の構成となる。
本発明を使用する場合は、傘（５）を開き、強力フック（１）が下になるように傘（５）の柄の先端部分を，車体（６）に垂直に向ける。強力フック（１）の吸盤部分を車体（６）に軽く押し当てる。傘（５）を車体（６）と平行になるように押し上げる。強力吸盤（３）を車体（６）に付ける。このとき、傘（５）の開いている部分は、車体（６）の天井より上にくるように取り付ける。
車体（６）から取り外す場合は、傘（５）を支えながら強力吸盤（３）を先に外す。傘（５）の柄を持って、車体に垂直になるように傘（５）を倒す。強力フック（１）が外れるので、そのまま傘（５）を差したり、たたんだりすることができる。
【発明の効果】
【０００５】  本発明を使用すると、乗降時に差している傘をそのまま簡単に車に取り付け、取り外すことができ、車周辺に濡れない場所の確保ができる。
【図面の簡単な説明】
【図１】        本発明の使用時の正面図
【図２】        本発明の要部拡大の正面図
【図３】        本発明の取り付け前段階の要部拡大の正面図
【符号の説明】
（１）強力フック（２）キカイバンド（３）強力吸盤（４）ロープ（５）傘（６）車体
【図１】
2006055608.tif 000003
【図２】
2006055608.tif 000004
【図３】
2006055608.tif 000005
(57)【要約】【課題】  火葬時に棺桶を焼却する際発生するダイオキシンなどの公害汚染物質を無くし、木製棺桶を再利用することより製造に必要な森林資源の減少を防ぐ。【解決手段】  棺桶を底面多孔性炭素素材製棺桶１、側面および上面木製棺桶２の二重構造にすることによって、火葬時に側面および上面木製棺桶２を焼却炉搬入寝台３の中に収納し、底面多孔性炭素素材製棺桶１のみ焼却し、焼却時のダイオキシンなどの公害汚染物質を無くし、側面および上面木製棺桶２を焼却することなく再利用出来るようになった。【選択図】  図２
2006055605.tif 000002
【特許請求の範囲】
【請求項１】
火葬炉内において遺体と棺桶を分離し、棺桶を焼却せずに取り出すことのできる火葬システム。
【発明の詳細な説明】
【発明の詳細な説明】
【技術分野】
【０００１】本発明は、火葬時に焼却される棺桶を焼却炉搬入寝台の中に収納することによって棺桶を焼却せずに取り出し、棺桶を再利用できるようにしたものである。
【背景技術】
【０００２】従来は、棺桶を火葬炉で焼却するため、再利用する方法は無かった。
【発明が解決しようとする課題】
【０００３】火葬における棺桶の焼却は、焼却時に発生するダイオキシンなどの公害汚染物質や二酸化炭素を発生させ、森林伐採などによる森林環境を破壊させる難点があった。本発明は、この課題を解消するためになされたものである。
【課題を解決するための手段】
【０００４】本来木製である棺桶を二重構造にすることによって、底面多孔性炭素素材製棺桶１のみ焼却させ、火葬時に毎回焼却していた側面および上面木製棺桶２の焼却を不要にし、焼却時に発生するダイオキシンなどの公害汚染物質や二酸化炭素の発生を無くし、森林資源の減少を防ぐことができた。
【発明を実施するための最良の形態】
【０００５】以下、本発明の実施の形態について説明する。
（イ）棺桶を底面多孔性炭素素材製棺桶１、側面および上面木製棺桶２の二重構造にする。
（ロ）底面多孔性炭素素材製棺桶１とは、例えば、米糠セラミック（三和油脂（株）社製）等である
【発明の効果】
【０００６】従来の棺桶を底面多孔性炭素素材製棺桶１、側面および上面木製棺桶２の二重構造にすることによって、火葬時に底面多孔性炭素素材製棺桶１のみ焼却炉に搬入し、毎回焼却されていた木製棺桶の焼却を不要にし、焼却時に発生するダイオキシンなどの公害汚染物質や二酸化炭素の発生を無くす事が出来た。側面および上面木製棺桶２を再利用することにより、森林資源減少原因が無くなった。
【図面の簡単な説明】
【図１】本発明の全体図である。
【図２】本発明の使用状態を示す断面図である。
【符号の説明】
１．底面多孔性炭素素材製棺桶
２．側面および上面木製棺桶
３．焼却炉搬入寝台
【図１】
2006055605.tif 000003
【図２】
2006055605.tif 000004
(57)【要約】【課題】従来型サイフは、６種類の硬貨が雑然と混ざりあっており、支払い時など今いくらあるのかを把握するのが困難であった。その為に硬貨と紙幣とカードを同時に必要とする時にはとてもてまどり時間がかかった。また、大きくて重いために、毎日持ち歩くのにはエネルギーの消費が大きかった。【解決手段】本発明のサイフは、６種類の硬貨それぞれと、カードと紙幣を分類して一体化し、立てて収納します。その為に、本体の外袋（１）と、６〜１１のポケットをもつ中袋（２）を組み合わせ、外袋の本体と本体のフタ部分に、面ファスナー（３）をつけて、上記課題を解決した「財布」です。【選択図】図６
2006055607.tif 000002
【特許請求の範囲】
【請求項１】
硬貨を種類別に収納する硬貨収納部と、カードおよび紙幣を収納する紙幣類収納部を有する中袋と、外袋本体部と外袋本体のフタ部とを有し、外袋本体部とフタ部に面ファスナーを備えて、フタ部が開いたときに硬貨収納部と紙幣類収納部の取り出し口が、上向きになるように置けるようになした財布。
【発明の詳細な説明】
【技術分野】
【０００１】  本発明は、６種類の硬貨それぞれと、カードと、紙幣を分類して一体化し、立てて収納するサイフに関するものである。
【背景技術】
【０００２】  これまでの硬貨用サイフは、まわりのケースだけで構成されており、１円５円・１０円・５０円・１００円・５００円の硬貨が、雑然とまざっている状態であった。毎日毎日使っているのにもかかわらず、使いにくいものであった。
【特許文献１】    特開２０００−２８７７３３号  公報
【特許文献２】    特開２００１−２３１６１７号  公報
【発明の開示】
【発明が解決しようとする課題】
【０００３】  従来型サイフは、次のような欠点があった。
（イ）  １円・５円・１０円・５０円・１００円・５００円の硬貨が、混ざり合って、雑然としていた。
（ロ）  支払い時などに、今何がいくらあるのかを把握するのが、困難であった。
（ハ）  カード・紙幣・硬貨が別々の場所におかれていた為に、支払い時にとてもてまどり時間がかかった。
（ニ）  大きくて重い為に、場所をとり、毎日持ち歩くのにはエネルギーの消費が大きかった。
【課題を解決するための手段】
【０００４】  本発明は、外袋の本体と、６〜１１のポケットをもつ中袋を組み合わせ、外袋の本体とフタ部分に面ファスナーをつけたサイフを提供することにより上記課題を解決したものである。
【発明の効果】
【０００５】  本発明のサイフは、１円・５円・１０円・５０円・１００円・５００円の硬貨、紙幣、カードをそれぞれに分類して、各袋に立てて収納しているために今自分がいくら持っているのかが、見てすぐわかるようになった。
また、それぞれの硬貨が立っているので、とても早く硬貨を取り出すことができるようになった。
サイフの形状は、軽く、コンパクトで手のひらに納まるために、持ち運びに便利である。
合理的で機能性がある為に、スムーズに支払いができ、時間を大切にしたサイフともいえます。
金銭面の計画性の助けになり、大変役に立つサイフであるといえます。
【発明を実施するための最良の形態】
【０００６】  本発明の実施の形態について説明する。
本発明の「財布」は、本体の外袋（１）と、６〜１１の袋をもつ中袋（２）を別々に形作り、縫い合わせた構造で造られている。
［図１］は、外袋本体部と外袋本体のフタ部である。そして本体部とフタ部に、より早くあけしめができる様に、面ファスナーを備えた構造である。
［図２］は、硬貨を種類別に収納する硬貨収納部と、カードおよび紙幣を収納する紙幣類収納部のために、６〜１１の袋を有する中袋（２）である。中袋（２）の６〜１１の袋に、本発明の特長がある。６〜１１の袋の上部だけが接続しており、側面や底の部分は各袋ともつながっていない。
［図１］の外袋本体部（１）と、［図２］の６〜１１の袋をもつ中袋（２）を縫い合わせ、外袋本体部のフタ部に面ファスナーをつけることにより本発明「財布」の完成品になる。
（１）と（２）を縫い合わせる時、中袋（２）の上部まわりだけを外袋本体部（１）と縫い合わせる。この時、中袋（２）の６〜１１の袋それぞれの底の部分は、本体（１）と縫い合わせない。その為に、一つ一つの袋の底部分が、本体（１）とくっついていないので、それぞれの硬貨をたくさん収納することができるという特長が中袋（２）にはある。
また、各袋の入れ口は、よく広がり指が入りやすく硬貨が取り出しやすい、という特長もある。
［図４］は、それぞれの袋に種類別硬貨をたくさん収納した様子である。この時、各硬貨は袋にそって立った状態になるのでとても取り出しやすい。
［図５］は、外袋本体部（１）の底の部分と、中袋（２）の底の部分が離れており、くっついていないことを現し、また中袋（２）の６〜１１の袋のそれぞれの側面も離れていることを説明した図である。
一つ一つの中袋が独立している為に、１円玉の様にたくさんたまりやすい硬貨も、中袋がふくらむ形になり、無理なく収納することができる。また、硬貨を取り出す時も３本の指が無理なく中袋に入るので、とても取り出しやすいという特長をもっている。
［図６］は、本発明「財布」を使用する時の様子を説明したものである。独立したたくさんの袋を有する為に、各種類の硬貨とカードと紙幣を分類して収納できる。持ち歩く時には、外袋本体の大きなフタ部（１）が、たくさん収納している中袋（２）をしっかりと包みこみ、面ファスナー（３）で固定しているので、中に収納している１円・５円・５０円・１００円・５００円の硬貨、カード、紙幣がこぼれることはない。
機能的で使いやすい「財布」である。
【図面の簡単な説明】
【０００７】
【図１】本発明サイフの本体（１）の分解斜視図である。
【図２】本発明サイフの中袋（２）の分解斜視図である。
【図３】本発明サイフの中袋（２）の側面図である。
【図４】中袋（２）の各袋に硬貨をいれた説明図である。
【図５】本体（１）と中袋（２）の断面斜視図である。
【図６】本発明サイフに硬貨とカードと紙幣をいれた説明図である。
【符号の説明】
【０００８】  １      外袋
２      中袋
３      面ファスナー
【図１】
2006055607.tif 000003
【図２】
2006055607.tif 000004
【図３】
2006055607.tif 000005
【図４】
2006055607.tif 000006
【図５】
2006055607.tif 000007
【図６】
2006055607.tif 000008
(57)【要約】【課題】  紙パックをリサイクル回収に出す為に、安全で簡単に紙パックを切り開くことができる紙パック切開機を提供する。【解決手段】  牛乳の紙パック等における角部位を覆うことが可能な山型ないしＬ字型の挟持体を本体として形成し、この本体の前方内側に切開刃を設置可能な構成として、他方、本体後方には、支点を介して１８０度伸縮、折りたたみ可能な刃物収納ケースを設けたことを特徴とする紙パック切開機。【選択図】  図１
2006055602.tif 000002
【特許請求の範囲】
【請求項１】
牛乳の紙パック等における角部位を覆うことが可能な山型ないしＬ字型の挟持体を本体として形成し、この本体の前方内側に切開刃を設置可能な構成として、他方、本体後方には、支点を介して１８０度伸縮、折りたたみ可能な刃物収納ケースを設けた、紙パックの縁を切開することを特徴とする紙パック切開機である。
【発明の詳細な説明】
【技術分野】
【０００１】  この発明は、牛乳パック等飲料用の紙パックをリサイクル回収に出す際に切開する為の、紙パック切開機に関するものである。
【背景技術】
【０００２】  従来は、はさみやカッターナイフ等を使用して切開してリサイクル回収に出していた。
【発明の開示】
【発明が解決しようとする課題】
【０００３】  そのために次のような問題点があった。
家庭にある一般のはさみで紙パックを切開するには手が入りにくい為、切りにくく紙も厚いので指が痛くなり、又紙パック底面付近は、はさみの先端を使用し切り開く為、相当の力が必要で、とても指や手が痛く、はさみにも負担がかかり、通常の使用に比べて早く使用できなくなる場合があった。また、ペットボトルや紙パックを切る専用のはさみは、価格が高く紙パックを切開する為に購入する人は少なく普及していない。
また、カッターナイフ等では、指や手を切る怪我をする場合もあり、直線的に切るのも難しく、ナイフの刃で机等が傷つく場合があった。
紙パックを切開する為に、はさみやカッターナイフ等を使用することは、面倒な上危険でもあり、また良いデザインのものが無く、台所に常時備えておく適当な保管場所が無い等で、切りたい時にはさみやカッターナイフ等が見つからず、更に面倒である等の理由でリサイクル回収に出されずにゴミとして捨てられてしまう紙パックが相当数あった。
本発明は、以上の問題点を解決しようとするのである。
【課題を解決するための手段】
【０００４】  牛乳の紙パック等における角部位を覆うことが可能な山型ないしＬ字型の挟持体を本体として形成し、この本体の前方内側に切開刃を設置可能な構成として、他方、本体後方には、支点を介して１８０度伸縮、折りたたみ可能な刃物収納ケースを設ける。
以上を特徴とする紙パック切開機である。
【発明の効果】
【０００５】  必要以上の力を加えなくても簡単に紙パックを切開することができ、指や手への負担が減少し、ナイフで指や手を切る等けがの原因を防ぐことができる。
また、使用方法も簡単で労力の負担が少ない紙パック切開機は、今まで面倒である等の理由で安易にゴミとして捨てられていた多くの紙パックをリサイクル回収に出してもらうことに貢献する。さらに、構造が簡単な為製造コストを低く抑えることができ、安価で提供することができるのでる。
【発明を実施するための最良の形態】
【０００６】  以下、本発明の実施の形態を説明する。
（イ）牛乳の紙パック等における角部位を覆うことが可能な山型ないしＬ字型の挟持体を本体（１）として形成し、この本体（１）の前方内側に切開刃（２）を設置可能な構成として、他方、本体（１）後方には、支点（３）を介して１８０度伸縮、折りたたみ可能な刃物収納ケース（４）を設ける。
（ロ）本体（１）の内側は、山折り型に形成したその形態を生かして、紙パック（１４）の角部位を切開刃（２）に誘導する線状のガイド（５）をつけ、その先端付近に本体（１）の内側の角度をニ等分するように、刃固定スペース（６）を設ける。
（ハ）切開刃（２）は、上部に刃固定穴（７）を開け、当該刃を取り付けた際、本体後方に向かって任意の角度がつくように形成し、また本体（１）後方寄りの一辺にだけ刃（８）を設けた構成とし、引くときのみ切れるようにする。
（ニ）切開刃（２）は、刃固定スペース（６）に挿入し、ネジ（９）等を本体（１）の前方上部に設けた切開刃固定穴（１０）に通し、ナット（１１）等で固定する。
（ホ）本体（１）後方に、吊り下げ保管用のフック穴（１２）を設け、刃物収納ケース（４）の後方に、刃収納部（１３）を設ける。
本発明は、以上のような構成より成り立っている。
本発明を使用するときは、紙パック（１４）の底部の縁（１５）から切開を開始する。その理由は、側面の縁（１６）を最初に切開してしまうと、底部の縁（１５）を切開する時、手で支える紙パック（１４）がぐらぐらして不安定になり、切開し難いからである。
まず刃物収納ケース（４）を支点（３）を介して回転させ、本体（１）と一体化させ使用状態にする。片手で紙パック（１４）を支え、本体（１）を紙パックの側面（１７）と底面（１８）に押し当てながら手前に引き、切開刃（２）の先端で紙パックの側面（１７）に切込みを入れ、そのまま引き、底部の縁（１５）を切開する。同様に底部分の他の縁２箇所を切開し、最後に側面の縁（１６）を切開する。使用後は、支点（３）を介して刃物収納ケース（４）をガイド（５）側へ折りたたみ、切開刃（２）の保護と安全を確保した後、フック穴（１２）を利用しフック等に掛けるなどして保管する。
また、切開刃（２）の交換は、ネジ（９）等をドライバー等ではずし、切開刃（２）を刃固定スペース（６）から引き抜き、新しい切開刃を刃固定スペース（６）に挿入し、ネジ（９）等とナット（１１）等で固定する。【０００７】  製造コスト削減等又はその他の理由で切開刃（２）を固定式とする場合は、ネジ（９）等とナット（１１）等を使用せず、刃固定スペース（６）及び切開刃固定穴（１０）に接着剤等の固着材を注入し切開刃（２）を固定する。又、前述同様の理由で回転式の刃物収納ケース（４）を設けず、本体（１）のみで使用する場合は、切開刃（２）の保護と安全を確保する刃カバー（１９）（図２参照）等を代用し、切開刃（２）にかぶせて保管する。
【図面の簡単な説明】
【０００８】
【図１】  本発明の斜視図
【図２】  本発明の分解斜視図
【図３】  本発明の透視側面図
【図４】  本発明の底面図
【図５】  本発明の使用状態を示す斜視図
【符号の説明】
【０００９】  １      本体
２      切開刃
３      支点
４      刃物収納ケース
５      ガイド
６      刃固定スペース
７      刃固定穴
８      刃
９      ネジ
１０    切開刃固定穴
１１    ナット
１２    フック穴
１３    刃収納部
１４    紙パック
１５    底部の縁
１６    側面の縁
１７    側面
１８    底面
１９    刃カバー
【図１】
2006055602.tif 000003
【図２】
2006055602.tif 000004
【図３】
2006055602.tif 000005
【図４】
2006055602.tif 000006
【図５】
2006055602.tif 000007
(57)【要約】【課題】体外離脱意識と仮死状態を応用して若返り不老不死を実現させ寿命を延ばす。【解決手段】体外離脱意識を右脳右角状回電極刺激かヘミシンク技術で行い寿命の近い人の人体を硫化水素にさらさせ仮死状態にし未来科学のクローン技術等で若返り修復した後で体外の意識を肉体に戻すことを繰り返すことで不老不死を実現する。【特許請求の範囲】
【請求項１】
（イ）右大脳皮質の右角状回を電極刺激もしくはヘミシンク技術により意識が体を離れて体外で待つ。
（ロ）ガラス製の気密容器を使って人体を非致死量の硫化水素にさらす。
（ハ）人体の体内の温度および代謝率の低下の程度と速度は容器内の硫化水素濃度と相関を示す。
（ニ）普通は冬眠しない哺乳動物（人間も含む）に冬眠に似た仮死様状態を硫化水素で誘導できる。
（ホ）人体が修復されたら蘇生すると同時に人体に意識を戻す。
以上の如く論理で導かれる寿命が近い人の寿命を延ばすために仮死状態にし未来科学によってクローン技術等で若返って修復された人体として復活できる装置。
【発明の詳細な説明】
【技術分野】
【０００１】  本発明は、体外離脱意識と肉体仮死状態で未来に若返り蘇生に関する。
【背景技術】
【０００２】  従来、体外離脱できる右角状回の電極刺激やヘミシンク技術が発見発明されたがその応用はなかった。（例えば非特許文献１参照。）。さらに死体冷凍技術はあるが仮死状態技術はなかった。【０００３】
【非特許文献１】  「ネィチャー」、２００２年９月１９日、２６９頁から２７０頁
【非特許文献２】  「日経サイエンス」２００５年９月号、１６頁から２３頁
【発明の開示】
【発明が解決しようとする課題】
【０００４】  従来、体外離脱と仮死状態の技術の応用はなかった。
【課題を解決するための手段】
【０００５】  体外離脱した意識を体外で待たせ寿命前の肉体を硫化水素で非致死量さらすことで仮死状態にし未来科学のクローン技術等で肉体を若返り修復したあとで蘇生させ体内に意識を戻すことで寿命を延ばす。
【発明の効果】
【０００６】  物理学的に体外離脱意識を若返った仮死状態から蘇生させた肉体に戻し何回も繰り返すことで不老不死を可能とした。
【発明を実施するための最良の形態】
【０００７】    以下、本発明の実施例について時系列的論理的に文章で説明する。右大脳皮質の右角状回を電極刺激もしくはヘミシンク技術により意識が体を離れる。ガラス製の気密容器を使って人体を非致死量の硫化水素にさらす。人体の体内の温度および代謝率の低下の程度と速度は容器内の硫化水素濃度と相関を示す。普通は冬眠しない哺乳動物（人間も含む）に冬眠に似た仮死様状態を硫化水素で誘導できる。人体が修復されたら蘇生すると同時に人体に意識を戻す。寿命が近い人の寿命を延ばすために仮死状態にし未来科学によってクローン技術等で若返って修復された人体として蘇生復活でき不老不死も可能となる。
【実施例】
【０００８】    上記の如く実施される。
【産業上の利用可能性】
【０００９】    欧米など各国で死後、遺体を冷凍保存し未来科学に頼っているがその方法だけでなく死なずに仮死状態なので安楽死や尊厳死なしに苦痛のない第二の方法として団塊の世代の寿命から日本でも産業上の利用可能性が高いと解される。
(57)【要約】      （修正有）【課題】構成が簡単で製造費が安価であり、自動風呂以外の各種浴室にも設置が可能である浴室用うたせ湯装置を提供する。  【解決手段】浴槽中の湯を浴室の天井付近に揚湯するポンプと通湯パイプ、湯を浴槽内に吐出落下させる湯吐出口を備えるとともに、浴槽の周囲上部にカーテン等の遮蔽物を開閉自在に取り付け、うたせ湯機能を使用する場合は、カーテン等の遮蔽物を展開し、飛散した湯を浴槽内に回収し、循環することを特徴とする。【選択図】図１
2006055612.tif 000002
【特許請求の範囲】
【請求項１】
浴槽と洗い場を備えた浴室であって、前記浴槽の湯を浴室の天井付近に揚湯する揚湯ポンプと通湯パイプおよび湯を浴槽内に吐出落下させるうたせ湯吐出口を連結するとともに、前記浴槽周囲の天井にカーテン等の遮蔽物を開閉自在に取り付けることを特徴とする浴室用うたせ湯装置。
【請求項２】
請求項１に記載の浴室用うたせ湯装置であって、揚湯ポンプとうたせ湯吐出口の間の通湯パイプに磁束密度１，０００〜５，０００ガウスに着磁された永久磁石複数個をそれぞれＮ極を通湯パイプの周囲表面に接するように取り付けることを特徴とする。
【発明の詳細な説明】
【技術分野】
【０００１】  この発明は、浴槽の湯をポンプで浴室上部まで揚げて、浴室の天井付近から湯を浴槽内に落下させることを特徴とした浴室用うたせ湯装置に関すものである。
【背景技術】
【０００２】  従来から、浴室でのうたせ湯機能については、シャワーノズルからの吐出、または、専用のうたせ湯装置が利用されている。（例えば特許文献１参照。）
【特許文献１】特許３０１６８０２号公報（浴室用うたせ湯の運転制御方法）
【発明の開示】
【発明が解決しようとする課題】
【０００３】  特許文献１の浴室用うたせ湯の運転制御方法は、自動風呂装置と、うたせ湯ポンプおよび、うたせ湯用制御部から構成され、自動制御することを特徴とするがシステムが複雑で高価格となり、また、給湯器と直結したノズルから湯を吐出、落下させる方法とともに大量のお湯をそのまま捨てることになり経済的にも問題があった。
【課題を解決するための手段】
【０００４】  本発明は、前記課題を解決するために、浴槽の湯を揚湯ポンプで循環することを特徴とするもので、
第１発明の浴室用うたせ湯装置は、浴槽と洗い場を備えた浴室であって、前記浴槽の湯を浴室の天井付近に揚湯する揚湯ポンプと通湯パイプおよび湯を浴槽内に吐出落下させる湯吐出口を連結するとともに、前記浴槽周囲の天井にカーテン等の遮蔽物を開閉自在に取り付けることを特徴とし、うたせ湯機能を使用する場合は、カーテン等の遮蔽物を浴槽周囲に展開して裾を浴槽内に入れ、飛散した湯を浴槽内に回収し循環することを特徴とする。【０００５】  また、第２発明の浴室用うたせ湯装置は、請求項１に記載の浴室用うたせ湯装置であって、揚湯ポンプとうたせ湯吐出口の間の通湯パイプに磁束密度１，０００〜５，０００ガウスに着磁された永久磁石を複数個、それぞれＮ極側を通湯パイプの周囲表面に接するように取り付けることを特徴とする。
【発明の効果】
【０００６】（１）家庭内で最適温度の入浴中の湯でうたせ湯をすることができ、頭部、首部、肩部、背中部等にうたせ湯マッサージを行うことができる。
（２）身体をうたせた後の飛散した湯を浴槽内に戻すことを特徴とし、、大量の湯を無駄にすることはなく、かつ、揚湯ポンプが空転するようなことはない。
（３）永久磁石で湯が活性化され、湯の肌触りが柔らかくなりマッサージ効果が高まる。
（４）構成が簡単で製造費が安価、自動風呂以外の各種浴室にも設置が可能である。
【発明を実施するための最良の形態】
【０００７】  本発明の実施例を図面に基づいて説明する。
【実施例１】
【０００８】（１）浴槽１の背面の下部空間に揚湯ポンプ２を設置し、浴槽１と揚湯ポンプ２の吸湯口３とを樹脂製の通湯パイプ４で連結するとともに、吐湯口５から通湯パイプ４で壁面６の外側を浴室の天井７付近のうたせ湯吐出口８まで連結する。
（２）浴槽１の正面の壁面６に揚湯ポンプ２の電源スイッチ９を取り付ける。
（３）浴槽１設置部分の天井７に浴槽１に沿い、かつ、正面部分で交差するようにしてカーテンレール１０を取り付け、ビニール等製のカーテン１１を吊り下げる。
（４）浴槽１の背面角壁面６にカーテン１１用のタッセル１２を取り付ける。
以上を特徴とする浴室用うたせ湯装置。
【実施例２】
【０００９】  実施例１に記載の浴室用うたせ湯装置であって、樹脂製の通湯パイプ４の周囲に磁束密度が１，０００〜５，０００ガウスに着磁された永久磁石１３を複数個、それぞれＮ極を通湯パイプの周囲表面に接するように取り付けることを特徴とする。【００１０】  本発明は以上のような構造で、これを使用する場合は、浴槽の湯を最適温度にして入浴するとともに、うたせ湯をする場合には、カーテンを展開し、カーテンの裾の部分を浴槽に入れて揚湯ポンプの電源スイッチを入れる。また、揚湯ポンプの空転を防止する水位を感知するスイッチを取り付けても良い。うたせ湯機能を使用しない場合、カーテンは、背面角の壁面等にタッセルで纏めて収納するが、背面角の壁面等に格納庫等を設け、ドアを取り付ける等スマートに格納することも可能である。【００１１】  うたせ湯は、湯の流量が多く、うたせ湯吐出口が高いほうが良く、浴槽の背面端等に座って足湯、半入浴をしつつ、永久磁石で活性化された湯でうたせ湯をするとさらにマッサージ効果が挙がる。
【産業上の利用の可能性】
【００１２】  本発明の浴室用うたせ湯装置は、家庭の浴室でうたせ湯の温泉気分とマッサージ効果を得ることを特徴とするもので、システムが簡単、長時間利用しても湯を無駄にせず、経済性に優れており、産業上の利用の可能性は極めて高いものである。
【図面の簡単な説明】
【図１】本発明の浴室用うたせ湯装置の側面図である。
【図２】本発明の永久磁石を取り付けた通湯パイプの断面図である。
【符号の説明】
１  浴槽                  ６  壁面                  １１  カーテン
２  揚湯ポンプ            ７  天井                  １２  タッセル
３  吸湯口                ８  うたせ湯吐出口        １３  永久磁石
４  通湯パイプ            ９  電源スイッチ            Ｎ  Ｎ極
５  吐湯口              １０  カーテンレール          Ｓ  Ｓ極
【図１】
2006055612.tif 000003
【図２】
2006055612.tif 000004
(57)【要約】【課題】コンビニエンスストアーのおでんは、従来の木製あるいは網目状の蓋では閉じておいては中身が見えないため販売上の問題があり、開け放しておいては衛生上の問題があった。また、ただ透明というだけの蓋ではおでんの水蒸気のためくもってしまい、やはり鍋の中身は見えなくなってしまう。【解決手段】おでんの蓋に透明素材を使用し、その蓋を加温することによって、おでんの鍋の蓋を閉じた状態でも水蒸気による結露も防止しながら、おでんの鍋の中身を見ることができるようになる。【選択図】  図１
2006055611.tif 000002
【特許請求の範囲】
【請求項１】
蓋に透明素材を使用し、蓋そのその物を加温することによって結露を防ぐことによって、くもらない、おでんのなべの中が見えるおでんの蓋。
【発明の詳細な説明】
【技術分野】
【０００１】  この発明は、おでんの蓋をガラス等透明素材とし、その物を加温し、おでんの汁上部の気相温度より蓋の内側表面温度の方が多少高ければおでんのふたその物は結露せず、くもらない。というものである。
【背景技術】
【０００２】  従来、コンビニエンスストアーのおでんのふたはほとんどが木製で、ふたを閉めてしまうと、鍋の中身が見えなかった。また蓋を開けておいては、ほこり等も入りやすく、衛生面に問題があった。
【発明が解決しようとする課題】
【０００３】  本発明は、コンビニエンスストアーのおでんのふたを、透明且つ、くもらない蓋にすることによって、お客が、鍋に蓋がされていながらに中身を見ることができるようになることによって、ほこりなどが入らない衛生的な状況のもとにおでんを選ぶことができるようになるというものである。
また本発明によって、おでんの汁から露出しているような具についても、保温加湿でき、雑菌の繁殖も防げるという効果と具の乾燥防止効果も期待でき、さらに、常時蓋をすることによって、保温効果のため、鍋その物の加温エネルギーの節約にもつながることが期待できる。
【課題を解決するための手段】
【０００４】  本発明は、おでんの鍋の蓋の素材を透明なガラス等とし、ガラスの表面をヒーター等により加温することにより蒸気が結露するのを防ぎ、くもらなくしたものである。
【発明を実施するための最良の形態】
【０００５】  おでんの鍋の蓋の素材をガラス等の透明で食品に対する安全性のある物とし、そのおでんに面していない側面にヒーター等、加温材を設置する。その加温材も透明なものがさらに好ましいが、線状のヒーターを付着させてもよい。また蓋そもののを二重構造にし、おでん側のガラス等を加温すれば、人が触れる側は、それ程熱くならないので、安全である。
【実施例】
【０００６】  本発明を実施するためには、素材をガラスにする場合、人が触れる側は、安全を考えて余り温度を上げないように二重ガラス使用。おでん鍋側のガラスの内側に発熱体を付ける。この発熱体は線状のヒーターでも良いが、透明の発熱体ならば鍋の中身が見易くさらに良い。そしてその発熱体を付けたガラスの鍋側表面温度をおでんの汁の上部の気相部分より多少高めに設定する。この場合温度コントロールをすることが好ましい。そして二重ガラスの鍋側でない方のガラスはそれ程温度は上がらないため、安全である。
【発明の効果】
【０００７】  従来おでん鍋の蓋は木製のため、閉めておけば鍋の中身を、お客が常時見ることができないため、販売上問題があった。しかし、開け放しておけば衛生上あまりこのましくはなかった。また、ただ透明というだけの蓋ならば、おでんの水蒸気のため、くもりが発生してしまい、やはり鍋の中身は見えなくなってしまう。しかし、本発明により、お客は、おでんの鍋の蓋がしまった状態で鍋の中身を見ることができるようになるため、販売上も衛生上も問題なくおでんを販売できるようになる。
【図面の簡単な説明】
【０００８】
【図１】本発明の外観図
【符号の説明】
（１）は二重ガラス上部（人の触れる側）
（２）は二重ガラス下部（おでん鍋側）
（３）はおでんん鍋
【図１】
2006055611.tif 000003